(57)【要約】      （修正有）【課題】構造全体の強度および弾性を増加することができ、寿命が更に延びるバットを提供する。【解決手段】円形の断面形状を有する心部１０と、シート状を呈し、それぞれ複数の木質筋模様部２１を有し、積層するように前記心部に巻き付けられる少なくとも一つの木質巻付ユニット２０とを含むバットにおいて、隣接する前記木質巻付ユニット同士の前記木質筋模様部の筋模様の行き方向は互いに相違する。【選択図】図１
0003163885.tif 000002
【実用新案登録請求の範囲】
【請求項１】
円形の断面形状を有する心部と、
シート状を呈し、それぞれ複数の木質筋模様部を有し、積層するように前記心部に巻き付けられる少なくとも一つの木質巻付ユニットと、
を含むバットにおいて、
隣接する前記木質巻付ユニット同士の前記木質筋模様部の筋模様の行き方向は互いに相違することを特徴とするバット。
【請求項２】
木質巻付ユニットが複数設けられ、これらの前記木質巻付ユニットは、積層するように前記心部にそれぞれ巻き付けられることを特徴とする、請求項１に記載のバット。
【請求項３】
前記心部は複数の心部構成ユニットを含み、前記心部構成ユニットはシート状を呈し、前記各心部構成ユニットは、互いに積層するように円形の断面形状を有する棒を形成し、それぞれ複数の木質筋模様部を有し、隣接する前記心部構成ユニット同士の前記木質筋模様部の筋模様の行き方向は互いに相違することを特徴とする、請求項１に記載のバット。
【考案の詳細な説明】
【技術分野】
【０００１】
本考案はバットに関するものである。
【背景技術】
【０００２】
野球運動は全世界の流行っているスポーツであり、野球をするときに最も重要な道具はバットである。打撃者の個人的な好み及び習慣により、バットを作製する素材が色々あるが、最も伝統的なバットは木材で作製されるものである。
従来のバット８０は、図７に示すように、旋盤加工により一本の原木を成形するが、天然の原木には筋模様があるため、筋模様に沿う方向がバット８０の最も弱い箇所となり、ボールを打撃するときにバット８０がボールの衝撃を直接に受ける。ボールの衝撃力が極めて大きいときは、原木で作製されたバット８０は筋模様の方向に沿って亀裂する可能性がある。
バット８０に亀裂が発生すると修復できないため、バット８０全体を廃棄しなければならない。そうすると、原木で作製されたバット８０は、寿命が短く、取替えコストを低減することができない問題があった。
【考案の概要】
【考案が解決しようとする課題】
【０００３】
本考案の主な目的は、全体の強度および弾性を増加することができて、寿命が更に延びるバットを提供することにある。
【課題を解決するための手段】
【０００４】
本考案に係るバットによると、円形の断面形状を有する心部と、
シート状を呈し、それぞれ複数の木質筋模様部を有し、積層するように前記心部に巻き付けられる少なくとも一つの木質巻付ユニットと、
を含むバットにおいて、
隣接する前記木質巻付ユニット同士の前記木質筋模様部の筋模様の行き方向は互いに相違することを特徴とする。
【０００５】
本考案のバットによると、木質巻付ユニットが複数設けられ、これらの前記木質巻付ユニットは、積層するように前記心部にそれぞれ巻き付けられることを特徴とする。
【０００６】
本考案のバットによると、前記心部は複数の心部構成ユニットを含み、前記心部構成ユニットはシート状を呈し、前記各心部構成ユニットは、互いに積層するように円形の断面形状を有する棒を形成し、それぞれ複数の木質筋模様部を有し、隣接する前記心部構成ユニット同士の前記木質筋模様部の筋模様の行き方向は互いに相違することを特徴とする。
【考案の効果】
【０００７】
本考案に係るバットによれば、全体の強度および弾性を増加することができて、バットの寿命が更に延びるという効果を有する。
【図面の簡単な説明】
【０００８】
【図１】本考案の一実施例のバットの分解斜視図である。
【図２】本考案の別の実施例のバットの分解斜視図である。
【図３】本考案のバットの組合済み状態の模式図である。
【図４】本考案のバットの組合済み状態の断面図である。
【図５】図４の一部の拡大図である。
【図６】本考案のバットの作製プロセスを示すフローチャートである。
【図７】従来のバットの構造を示す模式図である。
【考案を実施するための最良の形態】
【０００９】
以下、本考案の実施の形態を図面に基づいて説明する。
まず、図１乃至図６を参照する。
本考案の一実施例に係るバットは、心部１０と、少なくとも一つの木質巻付ユニット２０と、を含む。
【００１０】
心部１０は、複数の心部構成ユニット１１を含み、心部構成ユニット１１はシート状を呈し、各心部構成ユニット１１は、互いに積層するように円形の断面形状を有する棒を形成し、それぞれ複数の木質筋模様部１１１を有し、隣接する心部構成ユニット１１同士の木質筋模様部１１１の筋模様の行き方向は互いに相違する。
【００１１】
図１は複数の木質巻付ユニット２０を有するバットの分解斜視図である。木質巻付ユニット２０は、複数個を有してもいいし、一つだけを有してもよい。
各木質巻付ユニット２０は、シート状を呈し、それぞれ複数の木質筋模様部２１を有し、積層するように心部に巻き付けられる。隣接する木質巻付ユニット２０同士の木質筋模様部２１の筋模様の行き方向は互いに相違する。心部１０に各木質巻付ユニット２０を互いに積層するように巻き付けたと、円形の断面形状を有する棒が形成される。旋盤加工により前記棒を切削すると、バットを形成することができる。なお、図２は一つだけの木質巻付ユニット２０を有するバットの分解斜視図である。このような構成によれば、上記のものと同様な機能を達成することができる。
【００１２】
本考案のバットは、心部１０に各木質巻付ユニット２０を互いに積層するように巻き付けることにより、円形の断面形状を有する棒を形成して、旋盤加工により前記棒を切削してバットを形成し、そして各木質巻付ユニット２０は積層するように心部に巻き付けられ、隣接する木質巻付ユニット２０同士の木質筋模様部２１の筋模様の行き方向は互いに相違するため、本考案のバットによりボールを打撃するときには、本考案のバットの弾性が従来のものよりも高く、且つボールの衝撃力が木質巻付ユニット２０に分散され、これにより、構造全体の強度および弾性を増加することができ、寿命が更に延びる。
【００１３】
次に、図６を参照しながら本考案のバットの作製方法を説明する。
本考案のバットの作製方法は、
心部１０が円形の断面形状を有する棒に形成するように心部構成ユニットを積層して加圧する心部成形ステップ４０と、
【００１４】
木質巻付ユニット２０に粘着剤を付けて、心部１０に木質巻付ユニット２０を巻き付ける木質巻付ユニットの巻付ステップ５０と、
【００１５】
木質巻付ユニット２０と心部１０との連接を更に緊密するために、巻き付けられた木質巻付ユニット２０を加圧する木質巻付ユニットの加圧ステップ６０と、
【００１６】
旋盤加工により、心部１０に木質巻付ユニット２０を巻き付けて形成される棒を切削してバットを形成する旋盤加工成形ステップ７０と、を含む。
【産業上の利用可能性】
【００１７】
本考案は、バットに適用することができる。
【符号の説明】
【００１８】
１０：心部、１１：心部構成ユニット、２０：木質巻付ユニット、２１：木質筋模様部、４０：心部成形ステップ、５０：木質巻付ユニットの巻付ステップ、６０：木質巻付ユニットの加圧ステップ、７０：旋盤加工成形ステップ、８０：バット、１１１：木質筋模様部。
【図１】
0003163885.tif 000003
【図２】
0003163885.tif 000004
【図３】
0003163885.tif 000005
【図４】
0003163885.tif 000006
【図５】
0003163885.tif 000007
【図６】
0003163885.tif 000008
【図７】
0003163885.tif 000009